(57)【要約】【課題】フィルム形態の撮影物を上映する場所で介在する広告をより効率よく上映するためのデジタル広告システム及び方法を提供する。【解決手段】テープ等の記録媒体にアナログで記録された広告上映対象物をデジタルファイルに変換するエンコーディングサーバーと、エンコーディングサーバーでエンコーディングされるデジタルファイルに対する広告運行スケジュールが入力されるスケジュールサーバーと、スケジュールサーバーに記録された広告運行スケジュールに従って、ネットワークに伝送される広告データが格納されるコンテンツサーバーと、コンテンツサーバーから伝送される広告データと広告運行スケジュールを受けて各上映館に分配する分配機と、分配機を通じて伝送された広告データを、広告運行スケジュールに従って上映する映写機に伝送する映像送出サーバーと、映像送出サーバーから伝送される広告データを送出する映像送出機とを有する。【選択図】図１
2006350359.tif 000002
【特許請求の範囲】
【請求項１】
テープ等の記録媒体にアナログで記録された広告上映対象物をデジタルファイルに変換するエンコーディングサーバーと、
前記エンコーディングサーバーでエンコーディングされるデジタルファイルに対する広告運行スケジュールが入力されるスケジュールサーバーと、
前記スケジュールサーバーに記録された広告運行スケジュールに従ってネットワークに伝送される広告データが格納されるコンテンツサーバーと、
前記コンテンツサーバーから伝送される広告データ及び広告運行スケジュールを受けて各上映館に分配する分配機と、
前記分配機を通じて伝送された広告データを前記広告運行スケジュールに従って上映する映写機に伝送する映像送出サーバーと、
前記映像送出サーバーから伝送される広告データを送出する映像送出機と、
を有することを特徴とするデジタル広告システム。
【請求項２】
前記システムは、前記エンコーディングサーバーでエンコーディングされて格納されたデジタルファイルが正常にエンコーディングされたか否かを確認するように構成された品質管理サーバーを更に含むことを特徴とする請求項１に記載のデジタル広告システム。
【請求項３】
前記システムは、システムが正常に動作しているか否かを実時間で監視し、異常が発生した場合、管理者に警告を発するモニタリングサーバーを更に含むことを特徴とする請求項１に記載のデジタル広告システム。
【請求項４】
前記エンコーディングサーバーは、広告主又は広告営業代行社から受けた広告テープを劇場内の映像送出サーバーで再生可能なフォーマットに変換して格納するシステムであって、画像データを変換する画像エンコーディング部と、音響データを変換する音響エンコーディング部と、エンコーディングされた画像データ及び音響データを格納する格納部と、を含むことを特徴とする請求項１に記載のデジタル広告システム。
【請求項５】
前記画像エンコーディング部は、ビデオ画質向上のために、デジタルビデオプロセッサを含むハードウェア的システムによって具現され、前記音響エンコーディング部はステレオ及びドルビー５．１チャンネルを支援するためのドルビーデジタルエンコーダであることを特徴とする請求項４に記載のデジタル広告システム。
【請求項６】
前記スケジュールサーバーは、広告運行スケジュールを管理するためのサーバーであって、各劇場及び各劇場内部の上映館、各上映館で上映される映画、及び映画に対する上映スケジュールが格納される劇場管理部と、前記上映される映画に組み込まれる広告に対する情報及びその広告の契約内容が格納される広告主管理部と、広告の上映手順に対する情報が入力される広告スケジュール管理部と、を含むことを特徴とする請求項１に記載のデジタル広告システム。
【請求項７】
前記映像送出サーバーは、デジタルプロジェクターを駆動する映写機駆動部と連動して、映画の上映に先立ち、自動で広告を上映するように構成されることを特徴とする請求項１に記載のデジタル広告システム。
【請求項８】
前記映像送出サーバーは、フィルム映写機を駆動する映写機駆動部と連動して、映画の上映に先立ち、自動で広告を上映するように構成されることを特徴とする請求項１に記載のデジタル広告システム。
【請求項９】
テープ等の記録媒体にアナログ方式で記録された広告上映対象物をエンコーディングサーバーでデジタル広告対象物ファイルに変換する段階と、
前記エンコーディングされた広告対象物を広告運行スケジュールと共にネットワークを通じてコンテンツサーバーに伝送する段階と、
前記コンテンツサーバーに伝送された広告対象物を前記広告運行スケジュールに従って各上映館の映像送出サーバーに分配する段階と、
前記伝送された広告対象物を映像送出機及び音響再生機で再生する段階と、
を有することを特徴とするデジタル広告方法。
【発明の詳細な説明】
【技術分野】
【０００１】
本発明は統合デジタル広告システム及びデジタル広告方法に関し、より詳しくは、劇場、映画館等、フィルム形態の撮影物を上映する場所で介在する広告をより効率よく上映するためのデジタル広告システム及びデジタル広告方法に関するものである。
【背景技術】
【０００２】
劇場、映画館等で上映される上映物は、現在フィルム形態に製作されて映写機を通じてスクリーンに映写する方式で上映されているが、このような本映画が上映されるに先立ち、一定時間の間に、やはりフィルム形態に製作された広告物が上映されることが一般的である。
【０００３】
このように、広告物及び本映画がフィルム形態を通じて上映される理由について調べると、本映画の場合、映画の製作時からフィルム媒体に撮影され編集されてフィルム形態として供給されるからであり、現在使用されるデジタルメディアに比べては、スクリーン等の大型画面に上映される場合、画質が優秀であり、監督が望む画面効果を与えることができるからである。従って、これらは、アナログフィルム形態に製作されて上映されることが一般的である。
【０００４】
一方、このような本映画の上映前に介在して上映される広告物の場合には、劇場用広告物が別に製作されるよりは、一般的に放送用カメラでテープに撮影した広告物原本をフィルム形態に再製作して上映劇場数だけコピーして各劇場に配給し、劇場では配給された広告フィルムを本映画の上映前にフィルム映写機にかけて上映するのが一般的である。すなわち、放送用カメラは標準規格としてＮＴＳＣ又はＰＡＬの規格を守っているが、我が国での放送標準であるＮＴＳＣは秒当たりフレーム数が２９．９７である反面、映画館のフィルムのフレーム数は秒当たり２４フレームであって、放送用フィルムのフレーム数と映画館用フィルムのフレーム数が互いに異なるため、放送用カメラで撮った映像を直接フィルム映写機で上映すると、正常画面が結像されなく、画面の揺れ現象が発生する。
【０００５】
このような問題のため、現在劇場で広告物を上映する場合には、広告物をフィルムで製作して上映館毎に配送し、フィルム映写機を通じて上映するシステムを備えている  。
現在、国内の劇場で広告物が上映される時間は、毎回約１５分で、一つの広告物の上映時間が３０秒程度であるので、１５分間約３０個の広告が上映される。このような３０個の広告が現在は一つのリールに巻かれて上映されるので、時間帯別に広告の順序を変えるか、あるいは広告業者の要求に応じて広告が取り替えられた時には、フィルム全体を再製作しなければならないという問題がある。すなわち、それぞれの広告を独立したリールで製作する場合には、映写技師が一編の広告が終わる度にリールを入れ替らなければならないが、現実的に広告と広告との間にリールの入れ替え時間が介在し、このような広告の中断の繰り返しは連続的上映を要求する消費者の要求に反するものであるだけでなく、広告に対する没入と集中を妨害して、事実上広告の効果を低下させる問題がある。
特に、映画の最初上映決定時に広告が受注され、受注された広告がフィルムに製作されるが、このような現在の製作過程は任意に広告の配列手順を変えるか又は広告の内容を変えることを現実的に難しくしている。
【０００６】
劇場の立場で見ても、従来は、上映開始前に、映写技師が広告フィルムをフィルム映写機にかけて広告を上映した後、本映画フィルムで取り替えなければならないので、絶え間ない映画上映及び広告上映のために、映写技師がずっと待機していなければならないので、効率的な人力管理の側面でも新方法の導入の必要性が存在している。
【発明の開示】
【発明が解決しようとする課題】
【０００７】
そこで、本発明は、上記のような映画上映館における従来の広告システムの問題点を解決するためになされたものであって、その目的は、広告主が所望の広告順序を変化することができ、広告の変更ができるようにし、高価なフィルムを使用する広告を止揚することで、広告物上映に対する費用を節減することができ、又、フィルム形態を通じて上映される従来の映画上映の枠を維持しながら広告に対する上映方法のみを変更し、更に、劇場内部の管理人力の縮小によって経営効率化を図るデジタル広告システム及びデジタル広告方法を提供することにある。
【課題を解決するための手段】
【０００８】
上記目的を達成するため、本発明のデジタル広告システムは、テープ等の記録媒体にアナログで記録された広告上映対象物をデジタルファイルに変換するエンコーディングサーバーと、前記エンコーディングサーバーでエンコーディングされるデジタルファイルに対する広告運行スケジュールが入力されるスケジュールサーバーと、前記スケジュールサーバーに記録された広告運行スケジュールに従ってネットワークに伝送される広告データが格納されるコンテンツサーバーと、前記コンテンツサーバーから伝送される広告データ及び広告運行スケジュールを受けて各上映館に分配する分配機と、前記分配機を通じて伝送された広告データを前記広告運行スケジュールに従って上映する映写機に伝送する映像送出サーバーと、前記映像送出サーバーから伝送される広告データを送出する映像送出機と、を有することを特徴とする。
【０００９】
上記目的を達成するため、本発明のデジタル広告方法は、テープ等の記録媒体にアナログ方式で記録された広告上映対象物をエンコーディングサーバーでデジタル広告対象物ファイルに変換する段階と、前記エンコーディングされた広告対象物を広告運行スケジュールと共にネットワークを通じてコンテンツサーバーに伝送する段階と、前記コンテンツサーバーに伝送された広告対象物を前記広告運行スケジュールに従って各上映館の映像送出サーバーに分配する段階と、前記伝送された広告対象物を映像送出機及び音響再生機で再生する段階と、を有することを特徴とする。
【００１０】
本発明は、前記エンコーディングサーバーでエンコーディングされて格納されたデジタルファイルが正常にエンコーディングされたか否かを確認するように構成された品質管理サーバーを更に含むことができる。
本発明は、前記システムが正常に動作しているか否かを実時間で監視し、異常が発生した場合、管理者に警告を発するモニタリングサーバーを更に含むことができる。
前記エンコーディングサーバーは、広告主又は広告営業代行社から受けた広告テープを劇場内の映像送出サーバーで再生可能なフォーマットに変換して格納するシステムであって、画像データを変換する画像エンコーディング部と、音響データを変換する音響エンコーディング部と、エンコーディングされた画像データ及び音響データを格納する格納部と、を含むことができる。
前記画像エンコーディング部は、ビデオ画質向上のために、デジタルビデオプロセッサを含むハードウェア的システムによって具現され、前記音響エンコーディング部はステレオ及びドルビー５．１チャンネルを支援するためのドルビーデジタルエンコーダであることができる。
前記エンコーディングサーバーは、前記画像エンコーダ及び音響エンコーダを一つのエンコーダで処理することができ、前記画像エンコーダ及び音響エンコーダでエンコーディングされたデータをネットワーク上で伝送し、使用するのに適した第３のフォーマットに変換する変換部を更に含むことができる。
前記スケジュールサーバーは、広告運行スケジュールを管理するためのサーバーであって、各劇場及び各劇場内部の上映館、各上映館で上映される映画、及び映画に対する上映スケジュールが格納される劇場管理部と、前記上映される映画に組み込まれる広告に対する情報及びその広告の契約内容が格納される広告主管理部と、広告の上映手順に対する情報が入力される広告スケジュール管理部と、を含むことができる。
前記映像送出サーバーは、フィルム映写機を駆動する映写機駆動部と連動して、映画の上映に先立ち、自動で広告を上映するように構成することもでき、独立的に構成することもできる。特に、デジタルプロジェクターが備えられた劇場では、映像送出サーバーを制御する広告スケジュールと本映画上映スケジュールを同時に管理することにより、映写技師等の手動作業なしにも自動で広告と映画を連続的に上映することができる。
前記映像送出機は、画像データを受けて大型画面に映写するために、操作部、入力部及び出力部を有するプロジェクターであることが好ましく、デジタルプロジェクターが備えられたところであれば、従来のデジタルプロジェクターをそのまま使用することができる。
【発明の効果】
【００１１】
このような本発明のデジタル広告システム及びデジタル広告方法によれば、劇場では嵩が多くて廃棄物が問題となるフィルムの使用を減らすことができ、広告主は自分で任意に広告を編集して提供することができるだけではなく、広告代行社は、広告主との契約内容、及び観客の好みに応じて適切に広告手順を変更することができるので、効率よくて経済的なシステムが構築可能であり、劇場では映写機技師がフィルムを頻繁に交換する必要がなくなるので、人力節減による経営効率化を図ることができるという利点がある。
【発明を実施するための最良の形態】
【００１２】
次に、本発明のデジタル広告システム及びデジタル広告方法を実施するための最良の形態の具体例を、図面を参照しながら説明する。
図１は、本発明のデジタル広告システムの一実施例による全体システム構成図であり、図２は、エンコーディングシステムの構成図、図３は劇場内部のシステム構成図である。
【００１３】
図２に示すように、放送用カメラで撮影された広告物が介在するＶＣＲ２１に画像エンコーディングを行うデジタルビデオプロセッサ２２と、音響エンコーディングを行うドルビーデジタルエンコーダ２３とが結合され、エンコーディングされた結果物はウィンドウズ（登録商標）メディアフォーマット（ＷＭＶ９）に変換され、ネットワークを通じて格納される。
【００１４】
このように格納されたＷＭＶファイルは、図４のような品質管理サーバーで再生されて音響及び画像が正常に具現されているかが確認され、エラーの発生したコンテンツは再エンコーディングされる。コンテンツの確認は、プロジェクター４１又はＰＤＰ４２等で行える。
【００１５】
このように製作された広告データ及びスケジュールデータは、図１に示すように、ネットワーク１１、すなわちインターネットバックボーンネットワーク等を通じて劇場内のコンテンツサーバー１２に格納される。このように格納されたデータは、スケジュールに従って図３のような劇場内の上映館毎の映像送出サーバーに伝送され、プロジェクター３１等を通じて上映されるものである。この時、音響は従来の映写室内部のドルビープロセッサと連動することが望ましい。
【００１６】
図５は、本発明の一実施例によりスケジュールサーバーに搭載されて機能する各手段を示すもので、スケジュールサーバーは、広告主の登録及び契約、素材等の登録を管理し、劇場、スクリーン、上映すべき映画等に対して登録することができ、どの劇場、どの上映館でどのスケジュールで広告を上映するかに対して管理することができる。
【００１７】
このような各システムに、保安等を強化するためのファイアウォールやＶＰＮ（Ｖｉｒｔｕａｌ  Ｐｒｉｖａｔｅ  Ｎｅｔｗｏｒｋ）を設置することができることは自明である。
【産業上の利用可能性】
【００１８】
本発明は、劇場、映画館等、フィルム形態の撮影物を上映する場所で介在する広告をより効率よく上映するためのデジタル広告システム及びデジタル広告方法に適用可能である。
【図面の簡単な説明】
【００１９】
【図１】本発明のデジタル広告システムの一実施例による全体システム構成図である。
【図２】エンコーディングシステムの構成図である。
【図３】劇場内部のシステム構成図である。
【図４】品質管理サーバーの構成図である。
【図５】スケジュールサーバーのブロック図である。
【符号の説明】
【００２０】
１１    ネットワーク
１２    コンテンツサーバー
２１    ＶＣＲ
２２    デジタルビデオプロセッサ
２３    ドルビーデジタルエンコーダ
３１、４１    プロジェクター
４２    ＰＤＰ
【図１】
2006350359.tif 000003
【図２】
2006350359.tif 000004
【図３】
2006350359.tif 000005
【図４】
2006350359.tif 000006
【図５】
2006350359.tif 000007